(57)【特許請求の範囲】
【請求項１】
筒状本体の開口を覆うと共に、複数の吸引孔を有する前カバーの内側に配設されて回転する切断刃と、
この切断刃を回転させると共に、その周囲に複数の板状の羽根を設けた羽根車と、
この羽根車の前方に前記吸引口から吸引した風力をさえぎる遮蔽板を設けると共に、この遮蔽板外周囲の一部から、前記羽根の一部に集中して風を当てる通風路とからなる毛髪切断装置。
【請求項２】
筒状本体の開口を覆うと共に、複数の吸引孔を有する前カバーの内側に配設されて回転する切断刃と、
この切断刃を回転させると共に、その周囲に複数の板状の羽根を設けた羽根車と、
この羽根車の一部に風力を当てて羽根車を回転させる第１の通風路と、前記羽根車の回転に寄与しない第２の通風路とを有する通風路と、
この通風路のうち前記羽根車の回転に寄与しない第２の通風路を塞ぐように設けた風量調整手段とからなる毛髪切断装置。
【請求項３】
回転軸を有する円柱体と、
この円柱体の周壁面に前記回転軸とは斜行した状態で配設した帯状の板からなる複数枚の羽根と、
この羽根又は前記円柱体のうち少なくともどちらか一方を、鉄又は鉛のような重量物で形成して弾み車の作用を付加したことを特徴とする請求項１又は請求項２記載の羽根車。
【発明の詳細な説明】
【０００１】
【産業上の利用分野】
本発明は、掃除機などの吸引力により生じる風力を用いて、ひげや髪などを切断するようにした毛髪切断装置及びその装置に用いる羽根車に関する。
【０００２】
【従来の技術】
本発明の従来例としては、特開平４−２４４１８３号公報があり、これについて説明する。この公報に示す吸引式複合理容器具は、風車の両端から延出した回転軸の一端にバリカンを、他端側にはひげ剃りを設けたものである。二種類の切断器具を設けている為に、構造が複雑になるばかりでなく、必要に応じてバリカンやひげ剃りの刃を付け替えして使用するものである。
本願との比較を明確にする為に、ひげ剃り側との比較についてのみ説明する。風車の回転軸に、ひげ剃り用の回転刃を設けると共に、掃除機などの風力を利用して、風車を回転させることは同じである。但し、風車の羽根は、円柱体の周壁面から突出したＴ字形の羽根を用いている。風力調整は、本体から延出して設けた吸引用のホースに配設しており、専用のホースが必要である等が相違する。
【０００３】
【発明が解決しようとする課題】
Ｔ字形の羽根を用いた風車は、円柱体とＴ字形羽根の間隙から、風力の一部が無駄に流れてしまうから、風力の有効活用がなされずに効率が悪くなって、風車全体の形状が大型になるという欠点があった。
これは回転体の中心から離れた位置に、羽根を設けることにより回転力を増す為である。回転力が小さいと、ひげに当った抵抗力で回転刃が停止することも考えられ、なめらかな切断には、回転力を強力にしなければならないからである。また、風力の調整手段を吸引用ホースに設けることは、専用のホースが必要となるばかりでなく、保持する器具本体から離れている為に、器具本体を保持した手で、風力調整ができないという欠点もあった。
本発明は、このような不具合を解消するためになされたものであり、強力な回転力を有し、操作性の良い毛髪切断装置及びその装置に用いる羽根車の提供を目的とする。
【０００４】
【課題を解決するための手段】
上記不具合を解決するために、本発明は次のような構成としている。
請求項１に記載した毛髪切断装置は、筒状本体の開口を覆い複数の吸引口を有する前カバーの内側に、毛髪切断用の切断刃を設けると共に、この切断刃は弾み車を兼用した羽根車に接続した。羽根車の前方には前記吸引口より吸引した風力をさえぎる遮蔽板を設けると共に、この遮蔽板外周囲の一部から前記羽根車の一部に集中して、風を当てる通風路を設けることで毛髪切断装置とした。
請求項２に記載した毛髪切断装置は、筒状本体の開口を覆い複数の吸引口を有する前カバーの内側に、毛髪切断用の切断刃を設けると共に、この切断刃は弾み車を兼用した羽根車に接続した。
この羽根車の一部に風力を当てて羽根車を回転させる第１の通風路と、前記羽根車の回転に寄与しない第２の通風路とからなる通風路を設けると共に、第２の通風路を塞ぐように、風力調整手段としてのスライドカバーを設けることで毛髪切断装置とした。
請求項３に記載した羽根車は、回転軸を有する円柱体の周壁面に、この周壁面とは斜行して配設した帯状の板よりなる複数枚の羽根を設けた。この羽根又は円柱体の少なくともどちらか一方を、鉄又は鉛などよりなる重量物で形成することで、弾み車の作用を付加した羽根車とした。
【０００５】
【作用】
羽根車に弾み車の作用を付加すると、回転に勢いがつき回転力が増す為に、回転刃は毛髪の抵抗力にも負けずに、なめらかな切断が可能である。また、回転力が強い為に、羽根は円柱体の回転中心から離して設ける必要もなく、風受け用の帯板を直接円柱体に取付けすることができるので、小型の羽根車を使用することができる。
機具本体内の通風路を、第１通風路と第２通風路とに分割すると、本体内での風力調整が可能であり、操作性が良いという作用をもっている。
【０００６】
【実施例】
本発明の実施例について、図面を参照して説明する。図１は本発明の毛髪切断装置を示す分解斜視図、図２は図１で示す切断具の分解斜視図である。
図１で示すように本発明の毛髪切断装置１０は、切断する毛髪の長さを設定するための長さ調整具１２と、この長さ調整具を着脱可能な状態で配設した切断具２０と、この切断具２０と風力を発生させるための図示しない掃除機との間を接続するための継手１６とからなる。
このような長さ調整具１２と継手１６及び切断具２０とについて、更に説明する。
【０００７】
長さ調整具１２は、筒体Ａ１３とこの筒体に嵌合する筒体Ｂ１４とからなり、それぞれにねじ溝１５を設けている。これらの筒体を互いに回転させると、図中の矢印で示す方向に筒体同士が伸縮して、切断する髪の長さを設定するものである。
継手１６は、前述したように切断具２０と掃除機との間の接続具であり、掃除機の吸引ホースを直接切断具２０に接続することで、継手１６を削除することも可能である。
切断具２０は、図２で示すように毛髪切断用の切断刃４８を露出させる為に、開口２２を設けた筒状の機具本体２１と、この機具本体の開口２２を覆い複数の吸引孔２６を有する前カバー２５と、この前カバーとは対向配置した軸受２８付の後カバー２７とからなる。
筒状の機具本体２１内には、切断刃４８を取付けした羽根車４０や、この羽根車を回転させるための通風路が配設されており、これらについて、更に詳細に説明する。
【０００８】
図３は図２で示した機具本体の開口内を主に示す一部破断斜視図、図４は図３で示すリングの分解斜視図である。
図３で示すように機具本体２１の開口２２内には、吸引した風力を通風路に導くための座板形のリング３０と、羽根車の回転軸を支持する小孔３９を設けた遮蔽板３８とを配設している。
また、機具本体２１の頂部には、後述する第１通風路を形成する凸部２３を、側壁には後述する第２通風路の風力を調整するつまみ３６を配設しており、図中の矢印方向につまみ３６をスライド移動させることによって、風量調整手段３３としている。
このようなリング３０と遮蔽板３８及び機具本体２１などについて、更に詳細に説明する。
【０００９】
図４を参照してリング３０の説明をする。リング３０は、その中央部を開口した座板形であり、図３で示した凸部２３に合せて、リングの外形側に第１切込み３１を設けている。また、図３で示したつまみ３６の配設位置に合せて、リングの外周壁面に凹形のスリットよりなるスライド溝３４と、このスライド溝に連接して第２切込み３２を設けている。
このスライド溝３４には、スライド溝に合致すると共に、スライド移動させることによって、第２切込み３２を塞ぐような円弧形のスライドカバー３５を配設している。このスライドカバーの外周壁には円柱突起よりなるつまみ３６を設けて、図中の矢印方向にスライドカバーを移動させることにより風量調整手段３３としている。
尚、図３で示した遮蔽板３８にも、リング３０に設けた第１切込み３１に合せて図示しない切欠きを配設しており、ここを通風路として用いる。
第１切込み３１を通る風力は常に流通可能であり、第２切込み３２を通る風力は、スライドカバー３５を動かすことによって、風力を遮断したり、増減させたりするものである。これらの通風路５０については、機具本体２１の構造と併せて後述する。
【００１０】
図５を参照して図２で示した切断刃４８と、この切断刃を回転させる羽根車４０とについて説明する。図５は切断刃と羽根車とを連結して示す斜視図である。図５で示すように切断刃４８は、一般的なひげ剃りなどに用いられている３枚刃よりなる公知のものであり、詳細な説明は省略する。この切断刃４８は、図２で示した前カバー２５の内側に配設され、吸引孔２６より挿入された毛髪を羽根車の回転により切断するものである。
【００１１】
羽根車４０は、図５で示すように突出した回転軸４３を有する円柱体４２の周壁面に、円弧形の帯板よりなる複数の羽根４４を取付けしたものである。
この羽根４４と円柱体４２とは、回転によってその遠心力が増すように、重量のある材質例えば、鉄や鉛などの材質を用いることで弾み車の作用を付加している。また、羽根４４は、回転軸４３と平行ではなく斜行するように、円柱体４２の周壁面にそって滑り台の如く降下するように取付けすることで、羽根に当った風力が回転力を増すように、羽根にそって流れることで、風力の有効活用ができるように配慮している。
【００１２】
このように羽根車４０に弾み車の作用を付加すると共に、羽根を斜行配置したことにより、切断刃４８に当る毛髪の抵抗力にも負けずに、強力な遠心力でなめらかな切断が可能であると共に、羽根車を小型化することができるものである。尚、切断刃４８は、羽根車４０の回転軸４３先端に固着されると共に、図３で示した遮蔽板３８の小孔３９と、図２で示した後カバー２７の軸受２８とで、回転可能な状態で保持されるものである。
【００１３】
このように形成した羽根車４０を、風力によって回転させる通風路５０について、図６を参照して説明する。図６は羽根車と機具本体との配置関係を示す説明図である。
前述したように遮蔽版３８と後カバー２７に取付けされた羽根車４０は、図６で示すような風力の流れによって、回転やその速度調整をすることができるものである。
すなわち、図示しない掃除機などの吸引力によって、開口から取入れした風力は、羽根車４４の前方に配置した遮蔽版３８に当接して、図４で示したリング３０の第１切込み３１と第２切込み３２とから、機具本体２１内に流れ込む。
図４で示すリング３０に設けた第２切込み３２に対して、図３及び図４で示したつまみ３６を図中の矢印で示す方向に動かすと、つまみ３６と一体化されたスライドカバー３５で、この第２切込み３２を塞ぐことになる。その結果、風力は図中の矢印Ａで示すように、リング３０の第１切込み３１側からのみ流入する。
この風力は羽の一部に当接して羽根車４０を強力に回転させると共に、図中の矢印Ｂで示す開口から機具本体外部の掃除機に流れる。この矢印Ａから羽に当接して矢印Ｂに流通する流れが第１通風路である。
この第１通風路５２を流れる風は、羽根車４０の全体に当るわけではなく、回転軸４３を中心として、羽を回転させるべき片側にのみ集中して、当接するように設定している。
また、スライドカバー３５を移動して、図中の矢印Ｃで示す第２切込み３２内に風が流れ込むと、この流れは羽根車４０の回転に寄与することなく、機具本体２１の外部である掃除機側に流れる。
この矢印Ｃで示す流れが第２通風路５４であり、風量調整手段３３としてのスライドカバー３５を移動することによって、羽根車の回転を調整するものである。
【００１４】
図６で示すように、切断刃４８と羽根車４０とを取付けした機具本体２１には、図２で示した如く前カバー２５と後カバー２７とを、圧入又はねじ止め等の取付手段を用いて取付けすることにより、図２で示す切断具２０となる。
このような状態から、図示しない掃除機の吸引ホース先端に、機具本体を取付けして掃除機を作動させると、その吸引力により生じた風力で、羽根車４０と回転刃４８とが回転する。そして、前カバー２５の吸引孔２６の部分をひげに当てることにより、ひげ剃りとして使用することができる。
また、前カバー２５部分に図１で示した長さ調整具１２を装着して、切断長さを設定しながら頭部に当てることにより、髪を切断することができる。このひげ剃りや髪の切断において、切断した毛髪は掃除機に吸引されるから、周囲を汚すことなく毛髪の処理ができるものである。
【００１５】
【発明の効果】
以上説明したように本発明によれば、羽根車に弾み車の作用を付加して遠心力を大きくしたことにより、以下の効果を得ることができた。
すなわち、羽根車の遠心力を大きくしたことにより、羽根の取付位置を回転軸から離す必要がない。よって、羽根は円柱状の回転体に直接取付けすることができるから、羽根車を小型化することができた。
弾み車の作用を付加したことにより、回転力が強力になり、太いひげもなめらかに切断することができるようになった。
羽根車の小型化により、機具本体も小型に設定することができ手で保持しやすくなるので、操作性の良い毛髪切断装置である等の効果が得られた。
【図面の簡単な説明】
【図１】本発明の毛髪切断装置を示す分解斜視図である。
【図２】図１で示す切断具の分解斜視図である。
【図３】図２で示した機具本体の開口内を主に示す一部破断斜視図である。
【図４】図３で示すリングの分解斜視図である。
【図５】切断刃と羽根車とを連結して示す斜視図である。
【図６】羽根車と機具本体との配置関係を示す説明図である。
【符号の説明】
１０  毛髪切断装置
１２  長さ調整具
１６  継手
２０  切断具
２２  開口
２５  前カバー
２６  吸引孔
３０  リング
３３  風量調整手段
３５  スライドカバー
３８  遮蔽板
４０  羽根車
４３  回転軸
４４  羽根
４８  切断刃
５０  通風路
５２  第１通風路
５４  第２通風路
【図１】
0003921503.tif 000002
【図２】
0003921503.tif 000003
【図３】
0003921503.tif 000004
【図４】
0003921503.tif 000005
【図５】
0003921503.tif 000006
【図６】
0003921503.tif 000007